(57)【要約】【課題】ストラップに大きな浮力体としての機能をもたらすと共に屈曲性を付与し、ある程度比重が大きい携帯機器であっても水面上に浮び上がらせることができるとともに取り扱い性を容易にした。【解決手段】発泡樹脂ブロック４を中芯としてその周囲を外皮５で包囲した低比重軽量素材からなる帯状浮力体２と、帯状浮力体２の両端に一端を連結され、他端を携帯機器Ａの取付端側に着脱可能に連結される取付部３とを備え、帯状浮力体２を構成する発泡樹脂ブロック４を複数分割形成し、外皮５は各分割位置を関節部５ａとして、各発泡樹脂ブロック４同士を屈曲自在に連結した構成とした。【選択図】      図１
0003127963.tif 000002
【実用新案登録請求の範囲】
【請求項１】
発泡樹脂ブロック（４）を中芯としてその周囲を外皮（５）で包囲した低比重軽量素材からなる帯状浮力体（２）と、該帯状浮力体（２）の両端に一端を連結され、他端を携帯機器（Ａ）の取付端側に着脱可能に連結される取付部（３）とを備え、前記帯状浮力体（２）を構成する発泡樹脂ブロック（４）は複数分割され、前記外皮（５）は各分割位置を関節部（５ａ）として、各発泡樹脂ブロック（４）同士を屈曲自在に連結したものであることを特徴とする携帯機器用ストラップ。
【請求項２】
前記帯状浮力体（２）を構成する発泡樹脂ブロック（４）は、略矩形ブロック形状の単位発泡樹脂ブロック（４ａ）が複数個連接されてなり、前記外皮（５）は、前記発泡樹脂ブロック（４）を構成する各単位発泡樹脂ブロック（４ａ）が順次連接状に挿入される筒状に形成され、挿入された各単位発泡樹脂ブロック（４ａ）の間が前記外皮（５）の外側から縫合されることにより、該縫合部位が屈曲自在の前記関節部（５ａ）とされることを特徴とする請求項１記載の携帯機器用ストラップ。
【請求項３】
前記ストラップと前記携帯機器（Ａ）の合計浮力が水の比重より小さく設定されていることを特徴とする請求項１又は２記載の携帯機器用ストラップ。
【請求項４】
前記浮力体（２）の中央部外側にはナス環（６）が一体的に固定されていることを特徴とする請求項１乃至３のいずれか１項記載の携帯機器用ストラップ。
【請求項５】
前記取付部（３）は、前記帯状浮力体（２）の両端部に一体化された合成皮革からなる一対の中間材（７）と、各中間材の先端部に一端を連結され、他端を樹脂クリップ（９）に連結されてループを閉じる一対の帯状部材（８）と、前記樹脂クリップ（９）に脱着自在に嵌合されるとともに、先端に携帯機器取付紐（１１）を突設したクリップ受け（１０）とを備えたことを特徴とする請求項１乃至４のいずれか１項に記載の携帯機器用ストラップ。
【請求項６】
前記一対の帯状部材（８）の外周には、これの長手方向に沿って移動可能なループ長調整具（１２）が嵌合されていることを特徴とする請求項５記載の携帯機器用ストラップ。
【考案の詳細な説明】
【技術分野】
【０００１】
本考案は携帯機器用ストラップに関し、特に浮力体としての機能をもたせたものに関するものである。本考案に係る携帯機器用ストラップは、手で提げ又は鞄などに係止して提げるタイプのハンドストラップにも、或いは、首に提げるタイプのネックストラップにも有効に適用することができる。
【背景技術】
【０００２】
本考案の従来技術として、下記特許文献１に示す技術がある。このものはコンパクトカメラなどを気密に保護する防水式カメラケース及び該カメラケースに取付けられるストラップであり、誤って水中で手を離してもケース及びストラップが浮力体としての機能を発揮することにより、水面上に浮び上がることができるようにしたものである。
【特許文献１】特願２００５−２７５０８２号公報
【考案の開示】
【考案が解決しようとする課題】
【０００３】
しかし前記ストラップは、水より比重の軽い樹脂素材で構成されただけのものであり、それ自体は水に浮くが、浮力体としての機能に大きく関与することがなく、専らケースを主たる浮力体として作用させることで、内蔵するカメラを水面上に浮ばせることができるようになっており、付随的にストラップも水面上に浮遊するだけのものである。
【０００４】
また、このストラップは単なるループであり、棒状の樹脂材料を被覆して構成しているため、自然状態では環状に膨らみ、持ちにくく、又は、提げにくいばかりでなく、ベルトやベルト通しに連結したり、バッグなどに取付ける際には取付位置を挟んで前記ループに携帯機器をくぐらせて通し、引締める作業が必要であるため、取付取外しが面倒であり、取付場所によっては携帯機器がループにくぐれない場合もあり、不便であった。
【０００５】
ところで最近のコンパクトカメラでは、カメラに簡易防水機能を持たせることにより前述のカメラケースを用いることなく、水辺や水中での撮影が可能となり、海浜、湖沼、河川などでのレジャー用に携帯する機器として好適である。しかし、この種の防水式カメラは、通常のカメラと同様比重が重く、誤って水中に落すと沈んでしまう不具合があるため、万が一カメラを水中に落してしまうと危険な水中探索作業を余儀なくされるという、新たな課題が生じていた。
【０００６】
そこで本考案は、以上の課題を解決するものであって、その目的とするところは、ストラップに大きな浮力体としての機能をもたらすとともに、携帯にも便利な携帯機器用ストラップを提供するものである。
【０００７】
また本考案は、ベルトやベルト通し、バッグなどの取付対象に対するストラップの脱着作業をワンタッチで簡単に行えるようにした携帯機器用ストラップを提供することを他の目的とするものである。
【課題を解決するための手段】
【０００８】
前記目的を達成するため、本考案は、発泡樹脂ブロック４を中芯としてその周囲を外皮５で包囲した低比重軽量素材からなる帯状浮力体２と、該帯状浮力体２の両端に一端を連結され、他端を携帯機器Ａの取付端側に着脱可能に連結される取付部３とを備え、前記帯状浮力体２を構成する発泡樹脂ブロック４は複数分割され、前記外皮５は各分割位置を関節部５ａとして、各発泡樹脂ブロック４同士を屈曲自在に連結したものであることを特徴とする。
【０００９】
また、本考案では、前記帯状浮力体２を構成する発泡樹脂ブロック４は、略矩形ブロック形状の単位発泡樹脂ブロック４ａが複数個連接されてなり、前記外皮５は、前記発泡樹脂ブロック４を構成する各単位発泡樹脂ブロック４ａが順次連接状に挿入される筒状に形成され、挿入された各単位発泡樹脂ブロック４ａの間が前記外皮５の外側から縫合されることにより、該縫合部位が屈曲自在の前記関節部５ａとされていることを特徴としている。
【００１０】
前記ストラップと前記携帯機器Ａの合計浮力が水の比重より小さく設定されていることが望ましい。
【００１１】
さらに、本考案では、前記帯状浮力体２の中央部外側にはナス環６が一体的に固定されていることを特徴としている。
【００１２】
また、本考案では、前記取付部３は、前記帯状浮力体２の両端部に一体化された合成皮革からなる一対の中間材７と、各中間材の先端部に一端を連結され、他端を樹脂クリップ９に連結されてループを閉じる一対の帯状部材８と、前記樹脂クリップ９に脱着自在に嵌合されるとともに、先端に携帯機器取付紐１１を突設したクリップ受け１０とを備えたことを特徴としている。
【００１３】
前記一対の帯状部材８の外周には、これの長手方向に沿って移動可能なループ長調整具１２が嵌合されていることが望ましい。
【考案の効果】
【００１４】
本考案によれば、携帯機器を誤って水中に落しても、ストラップ本体を構成する帯状浮力体が水面上に浮き、探し易く、また、ストラップを含む全体の浮力が水の比重よりも軽いため、水面上に浮び上がり、この浮遊状態で直ちに回収できる。
【００１５】
しかも、本考案によれば、上記ストラップ本体を構成する帯状浮力体がその関節部により屈曲して、ループとした状態での屈曲性を十分に確保でき、提げやすく、持ち運び及び取り扱いが便利である。さらに、ベルトやベルト通し、バッグの肩掛け紐に対するストラップの脱着を容易に行うことができる。
【００１６】
また、本考案によれば、上記の作用・効果に加え、中間材の表面に商品のロゴなどを印刷によって形成でき、帯状部材によって、ストラップ全体のループ長さが定まり、さらに、取付紐を携帯機器に脱着する際には、クリップ受けを樹脂クリップから取外すことによって容易に、脱着することができる。
【００１７】
さらに、ストラップのループ長を調整具の移動調整により自在に調整できる。
【考案を実施するための最良の形態】
【００１８】
以下、本考案の最良の形態につき、添付図面を参照して説明する。
図１（ａ），（ｂ）は本考案にかかる携帯機器用ストラップの側面図及び正面図、図２は図１のＡ−Ａ線における拡大断面図、図３（ａ），（ｂ）は図１の円内Ｂを拡大して示す斜視図、図４は同ストラップの使用形態の一例を示す一部拡大部分を含む説明図、図５は同ストラップ及び携帯機器としてのコンパクトカメラの水面浮遊状態を示す説明図である。
【００１９】
図１において、ストラップ１は、図の上部にあって、ループの一端側を構成し、ストラップ１の本体となる帯状浮力体２と、帯状浮力体２の下部に連結され、ループの他端側を閉じる取付部３とから概略構成されている。
【００２０】
帯状浮力体２は、図２に断面して示すように、所定断面の軽量発泡樹脂体ブロック４の外周を外皮５で包囲したものである。発泡樹脂ブロック４の構成材料は、所定発泡倍率の独立気泡性の発泡ポリエチレンなどの発泡樹脂からなるもので、その見かけ比重が水に対してかなり小さい低比重軽量な素材である。また外皮５は袋状に縫製されて前記発泡体ブロック４を包囲するナイロンなどの軽量な合成繊維からなっている。
【００２１】
前記発泡樹脂ブロック４は、その長手方向に沿って複数個、図では少なくとも３分割された単位発泡樹脂ブロック４ａの連接により構成されて、筒状外皮５内に挿入されている。外皮５をその単位発泡樹脂ブロック４ａの連接部位に対応する分割位置毎に縫合することにより、この縫合の位置を関節部５ａとして各発泡樹脂ブロック４を屈曲可能とし、そのループ形状に屈曲性を与えている。また中央の発泡樹脂ブロック４の中央部両側にはその外側に取付用帯６ａを同じく縫合により固定することで、この部分を関節部５ａとしているとともに、この取付用帯６ａを介してフック状のナス環６を浮力体２の中央部に連結している。単位発泡樹脂ブロック４ａは、略矩形ブロック形状とすることが関節部５ａでの屈曲性の点で望ましいが、略円形状その他の小ブロック形状とすることができる。
【００２２】
前記ナス環６はストラップ１を利用者のバンドや、バンド通し、あるいはバッグなどに簡単に着脱できるようにしたもので、軽量合成樹脂成形体からなり、その一側部開口端に回動可能に設けられたストッパピンを内蔵されたバネの圧力により常時閉鎖側に付勢し、指で押圧することにより、図１（ａ）の矢印のごとく解放できるようになっている。
【００２３】
前記取付部３は、各外皮５の延長端に縫合により一体化された一対の中間材７と、各中間材７の先端部に一端を連結された帯状部材８と、各帯状部材８の他端に連結されてループを閉じる樹脂クリップ９と、に連結されてループを閉じる一対の帯状部材８と、前記樹脂クリップ９に脱着自在に嵌合される樹脂製クリップ受け１０と、クリップ受け１０の先端よりループ状をなして突出した携帯機器取付紐１１と、前記各帯状部材８の外周に嵌合され、その長手方向に沿って移動可能なループ長調整具１２とを備えている。
【００２４】
前記中間材７は、柔軟な合成皮革からなる板状のもので、その外側には、ストラップ１が取付けられる後述するカメラのロゴマークなどが印刷され、ストラップ１が所属する商品識別性を与えるようになっている。
【００２５】
前記樹脂クリップ９は、図３（ａ）に示すように、帯状部材８の取付端下部に錨状の一対の係止爪９ａを設けたものであり、またクリップ受け１０はこの係止爪９ａを嵌合するとともに、嵌合状態で係止爪９ａの外側部を露出させるための窓部１０ａを両側部に開口しており、クリップ受け１０を樹脂クリップ９から取外した状態で、図３（ｂ）の円内に拡大して示すように、前述のコンパクトカメラよりなる携帯機器Ａのケーシングの一側部に設けた取付用ブラケットＡ１に取付紐１１のループをくぐらせて緊縛することで、携帯機器Ａに対する取付が完了し、この状態でクリップ受け１０を再度樹脂クリップ９に嵌め付け嵌合すれば、図３（ｂ）に示すように、携帯機器Ａに対するストラップ１の取付がなされる。
【００２６】
なお、携帯機器Ａの一例として、簡易防水機能を施したデジタルコンパクトカメラに適応でき、カメラ単体では、水の比重より重くなるが、ストラップ１とカメラとの合計重量はかなり小さく、両者の合計浮力が水の比重より小さくなるよう、前記帯状浮力体２の容積配分が設定されている。
【００２７】
前記ループ長調整具１２は、ストラップ１のループ長さを調整するためのもので、全体的に球形をなし、その上下を貫通して形成されたスリットを介して前記各帯状部材８の外周に嵌合している。そして、調整具１２の一側部にはロックボタン１２ａが突設されている。ロックボタン１２ａは調整具１２を帯状部材８の適宜位置に固定するためのもので、ロックボタン１２ａの押圧によりロック解除され、調整具１２を帯状部材８の長手方向に沿って移動し、そのループ長さを調整するようになっている。
【００２８】
図４は、前記携帯機器Ａに取付けたストラップ１の使用形態の一例を示すものであって、この例では、使用者は、図の円内に拡大して示すようにハンドバッグＨＢの肩掛け紐にナス環６を連結し、バッグＨＢの外側部に沿ってストラップ１を介して携帯機器Ａを吊下げ状態に持運んでいる状態を示している。この場合には適当な被写体を見つけ次第、ストラップ１を持上げ、携帯機器Ａを手にとって構えることで、直ちに被写体を撮影することができる。
【００２９】
なお、当然のことであるが、ハンドバッグＨＢの内側に携帯機器Ａを収納することもできるほか、使用者の服のベルト、ベルト通し、ザック類など適宜な手荷物などに形成された取付位置に前記要領でストラップ１を連結しておき、必要に応じて直ちに携帯機器Ａを持上げて撮影することができることは勿論である。
【００３０】
図５は以上のストラップ１つきの携帯機器Ａを誤って水中に落した場合を示すもので、落下加速度により一旦は水中深く沈むが、携帯機器Ａを含む全体荷重Ｗに対して、全体浮力Ｆは水の比重（＝１）より軽いので、最も軽い浮力体２を上部に、重い携帯機器Ａを下にして水面ＷＬ上に浮び上がり、この状態で水面上に手や竿などをさしのべることにより、ストラップ１を携帯機器Ａとともに回収できることになるのである。
【００３１】
なお、以上の実施形態では、携帯機器として簡易防水機能が施されたコンパクトカメラに適用した場合を説明したが、他の携帯機器、例えば携帯電話機など掌サイズの携帯機器に適用することも可能である。また、携帯機器に防水機能が施されていない場合であっても直ちに修理したり内部のデータを取出すことで、機器そのものあるいはデータを再生することができることも勿論であり、いずれにおいても、機器を含む全体浮力が水の比重より大きく設定しておくことにより、危険な水底探索作業を行わなくても良いため、安全性を向上できる。
【図面の簡単な説明】
【００３２】
【図１】（ａ），（ｂ）は本考案にかかる携帯機器用ストラップの側面図及び正面図である。
【図２】図１のＡ−Ａ線における拡大断面図である。
【図３】（ａ），（ｂ）は図１の円内Ｂを拡大して示す斜視図である。
【図４】同ストラップの使用形態の一例を示す一部拡大部分を含む説明図である。
【図５】同ストラップ及びコンパクトカメラの水面浮遊状態を示す説明図である。
【符号の説明】
【００３３】
１  携帯機器用ストラップ
２  帯状浮力体
３  取付部
４  発泡樹脂ブロック
５  外皮、５ａ  関節部
６  ナス環
７  中間材
８  帯状部材
９  樹脂クリップ
１０  クリップ受け
１１  機器取付用紐
１２  ループ長調整具
【図１】
0003127963.tif 000003
【図２】
0003127963.tif 000004
【図３】
0003127963.tif 000005
【図４】
0003127963.tif 000006
【図５】
0003127963.tif 000007